(57)【要約】【課題】カールなどを生じることなく、長期間にわたって安定して貼り付けておくことができる窓ガラス用断熱シートを提供する。【解決手段】内部に空気断熱層を有するベースシートを有し、上記ベースシートの一方の面には、紫外線吸収性を有する紫外線吸収シートが貼り合わせられている窓ガラス用断熱シートにおいて、上記紫外線吸収シート３は、紫外線吸収材を含まない２枚の保護フィルム３１，３２を、紫外線吸収材が添加された粘着剤層３３によって１枚のシート体となるように接合した。【選択図】図１
2014180825.tif 000002
【特許請求の範囲】
【請求項１】
内部に空気断熱層を有するベースシートを有し、上記ベースシートの一方の面には、紫外線吸収性を有する紫外線吸収シートが貼り合わせられている窓ガラス用断熱シートにおいて、
上記紫外線吸収シートは、紫外線吸収材を含まない２枚の保護フィルムを、紫外線吸収材が添加された粘着剤層によって１枚のシート体となるように接合してなることを特徴とする窓ガラス用断熱シート。
【請求項２】
上記紫外線吸収シートは、熱ラミネートによって上記ベースシートに一体的に貼り合わせられていることを特徴とする請求項１に記載の窓ガラス用断熱シート。
【請求項３】
上記保護フィルムの一方の内面には、赤外線光を遮蔽するアルミ蒸着膜が設けられていることを特徴とする請求項１または２に記載の窓ガラス用断熱シート。
【請求項４】
上記ベースシートの他方の面は、水貼り性を有することを特徴とする請求項１，２または３に記載の窓ガラス用断熱シート。
【発明の詳細な説明】
【技術分野】
【０００１】
本発明は、窓ガラスに貼り付けることで、室内と室外の熱移動を抑える窓ガラス用断熱シートに関し、さらに詳しく言えば、外から室内に向けて照射される紫外線や赤外線を遮断する窓ガラス用断熱シートに関する。
【背景技術】
【０００２】
夏場や冬場などの室内と室外の温度差が大きい時期においては、その温度勾配を駆動力として、室内と室外との間で熱が移動しやすい。特に住居における熱移動の大部分は、窓ガラスから行われる。そこで、窓ガラスからの熱移動を減らすための窓ガラス用断熱シートが提供されている。
【０００３】
例えば特許文献１に記載されているように、この断熱シートは、内部に空気断熱層（キャップ層）を有するベースシートを備え、ベースシートの一方の面に水を吹き付けて窓ガラスに貼り付けることで、窓ガラスからの熱移動を抑える（断熱する）ことができるようになっている。
【０００４】
また、特許文献１は、室内に照射される紫外線量を減らすため、ベースシートの他方の面に紫外線吸収材を練り込んだ紫外線吸収シートを一体的に貼り合わせている。これによれば、窓ガラスを透過する太陽光成分から紫外線を吸収することができる。
【０００５】
しかしながら、紫外線吸収シートの紫外線吸収率をほぼ１００％まで高めようとした場合、紫外線吸収シートの母材となるプラスチック樹脂に大量の紫外線吸収材を添加しなくてはならず、その結果、シートの厚さが厚くなってしまう。
【０００６】
さらに、紫外線吸収シートをベースシートに熱ラミネートによって貼り合わせると、紫外線吸収シート（ＰＥＴ）とベースシート（ＰＥ）とが異種材料であるため、両方の収縮率の違いによって、四隅にカールが生じてしまう。そのため、水貼りしにくいばかりでなく、水貼りした後に、断熱シートの四隅が捲り上がってしまうため好ましくない。
【先行技術文献】
【特許文献】
【０００７】
【特許文献１】特開平１１−３４８１６９号公報
【発明の概要】
【発明が解決しようとする課題】
【０００８】
そこで、上述した課題を解決するため、本発明は、カールなどを生じることなく、長期間にわたって安定して貼り付けておくことができる窓ガラス用断熱シートを提供することにある。
【課題を解決するための手段】
【０００９】
上述した課題を解決するため、本発明は以下に示すいくつかの特徴を備えている。すなわち、内部に空気断熱層を有するベースシートを有し、上記ベースシートの一方の面には、紫外線吸収性を有する紫外線吸収シートが貼り合わせられている窓ガラス用断熱シートにおいて、上記紫外線吸収シートは、紫外線吸収材を含まない２枚の保護フィルムを、紫外線吸収材が添加された粘着剤層によって１枚のシート体となるように接合してなることを特徴としている。
【００１０】
上記紫外線吸収シートは、熱ラミネートによって上記ベースシートに一体的に貼り合わせられていることを特徴としている。
【００１１】
上記保護フィルムの一方の内面には、赤外線光を遮蔽するアルミ蒸着膜が設けられていることを特徴としている。
【００１２】
上記ベースシートの他方の面は、水貼り性を有することを特徴としている。
【００１３】
これによれば、紫外線吸収材を含まない２枚の保護フィルムを、紫外線吸収材が添加された粘着剤層によって１枚のシート体に成形し、その紫外線吸収シートをベースシートに熱ラミネートしたことにより、紫外線吸収率が高く、かつ、薄い紫外線吸収シートが得られるとともに、カールが生じにくく、長期間にわたって安定して貼り付けておくことができる断熱シートが得られる。
【図面の簡単な説明】
【００１４】
【図１】本発明の一実施形態に係る窓ガラス用断熱シートの要部断面図。
【発明を実施するための形態】
【００１５】
次に、図面を参照しながら、本発明の実施形態について説明するが、本発明はこれに限定されるものではない。
【００１６】
図１に示すように、この窓ガラス用断熱シート１は、内部に空気断熱層２１を有するベースシート２と、ベースシート２の一方の面（図１では上面）に一体的に貼り合わせられる紫外線吸収シート３とを備えている。
【００１７】
ベースシート２は、凹凸が形成された仕切りフィルム２２と、上記仕切りフィルム２２の両面を挟むようにして一体的に貼り合わせられる外フィルム２３および内フィルム２４とを備え、それらが一体的に形成されている。
【００１８】
この実施形態において、仕切りフィルム２２はポリエチレンフィルムからなり、円柱状の凸部が所定間隔をもって千鳥状に配置された、いわゆるエアキャップフィルムが用いられ、その両面を外フィルム２３と内フィルム２４とで挟み込んで一体化することで、空気断熱層２１を有するベースシート２が形成される。
【００１９】
外フィルム２３は、合成樹脂フィルムであって、一方の面(図１では上面）は、熱ラミネートによって仕切りフィルム２２に一体的に貼り付けられている。この実施形態において、外フィルム２３の他方の面（図１では下面）は、外フィルム２３を図示しない窓ガラスに水貼りすることができる水貼り性を備えている。なお、熱ラミネートに変えて粘着剤や接着剤を用いて接合してもよい。
【００２０】
この実施形態において、外フィルム２３は、ポリオレフィン系樹脂が用いられている。これにより、外フィルム２３の親水性がよくなり、外フィルム２３の表面に水を塗って窓ガラスに貼り付ける、いわゆる水貼りが可能となる。なお、窓ガラスに水を塗布して、そこに外フィルム２３を貼り合わせてもよい。
【００２１】
この他に、外フィルム２３に水貼り性を持たせるためには、例えば外フィルム２３の表面にコロナ放電加工を施し、マイクロボイドを形成してさらに水貼り性を向上させるなどしてもよい。
【００２２】
内フィルム２４には、合成樹脂フィルムが用いられており、一方の面(図１では下面）は熱ラミネートによって仕切りフィルム２２に貼り付けられている。内フィルム２４の他方の面（図１では上面）には、紫外線吸収シート３が一体的に貼り合わされている。なお、熱ラミネートに変えて粘着剤や接着剤を用いて接合してもよい。
【００２３】
紫外線吸収シート３は、２枚の保護フィルム３１，３２同士を粘着剤層３３を介して貼り合わせたものからなり、この粘着剤層３３に所定の紫外線吸収材が配合されている。
【００２４】
この実施形態において、一方（図１では上面側）の保護フィルム３１は、傷に強いＰＥＴ（ポリエチレンテレフタレート）フィルムが用いられており、他方（図１では下面側）の保護フィルム３２は、ベースシート２との接合性を考慮してＰＥ（ポリエチレン）フィルムが用いられている。
【００２５】
粘着剤層３３は、ポリエステル系ウレタン粘着剤が用いられており、そこに紫外線吸収材が所定量配合されている。この実施形態において、粘着剤層３３はポリエステル系ウレタン粘着剤が用いられているが、これ以外のアクリル系やゴム系、シリコン系の粘着剤や接着剤が用いられてもよい。ウレタン系粘着剤に関するより具体的な説明は、日本粘着テープ工業会より２００５年発行の「粘着ハンドブック（第３版）」の第２章２．３．５に記載の（ウレタン系粘着剤）の項目を参照されたい。
【００２６】
この粘着剤に対して紫外線吸収材が１０ｗｔ％配合されている。紫外線吸収材は、有害な紫外線を吸収して、フリーラジカルの生成を防止するベンゾフェノン系やベンゾトリアゾール系、サリチレート系、シアノアクリルレート系の紫外線吸収材が用いられるが、これ以外の紫外線吸収材が用いられてもよく、粘着剤層３３を透過する光から９９％以上の紫外線を吸収可能な量の紫外線吸収材が配合されていればよい。なお、より具体的な紫外線吸収材については、株式会社産業調査会１９９３年発行の「実用プラスチック辞典」の第２章，第２節Ｃ（光安定剤）の項目を参照されたい。
【００２７】
これによれば、粘着剤層３３に紫外線吸収材を配合したことにより、フィルムに添加した場合よりも全体の厚さを薄く形成することができるばかりでなく、粘着剤層３３を介して保護フィルム３１，３２同士を貼り合わせているため、寸法変化を極力
小さくすることができる。
【００２８】
紫外線吸収シート３は、ベースシート２の内フィルム２４に熱ラミネートによって一体的に貼り合わされている。これによれば、紫外線吸収シート３の保護シート３２とベースシート２の内フィルム２４とがともにポリエチレン製であることにより、熱ラミネートした際に伸縮率の違いによって、シートの四隅に発生するカールを抑えることができ、長期間にわたって安定して窓ガラスに貼り付けておくことができる。
【００２９】
一方の保護フィルム（ＰＥＴフィルム）３１には、赤外線を遮蔽するためのアルミ蒸着膜３４が形成されている。アルミ蒸着膜３４は、スパッタリング等によって保護フィルム３１の表面に形成された薄膜であって、この例では粘着剤層３３に対向する面に形成されている。アルミ蒸着膜３４の具体的な形成方法や厚さなどは仕様に応じて任意に変更されてよい。
【００３０】
この例において、アルミ蒸着膜３４は、一方の保護フィルム３１側に設けられているが、他方の保護フィルム３２側に設けられていてもよい。さらには、両方の保護フィルム３１，３２に設けられてもよい。
【符号の説明】
【００３１】
１  窓ガラス用断熱シート
２  ベースシート
３  紫外線吸収シート
３１，２１  保護フィルム
３３  粘着剤層
３４  アルミ蒸着膜
【図１】
2014180825.tif 000003